(57)【要約】【課題】コンパクトディスクやデジタルビデオディスクのジャケット面を表示陳列できるコンパクトなラックの提供【解決手段】垂直に自立させた木製の平板にＣＤジャケットおよびＤＶＤジャケットのジャケット面を正面にして装着できるディスプレー部３を設ける。前記ディスプレー部３にＣＤジャケットおよびＤＶＤジャケット１を装着できる開口部１５を前記平板上に複数設けることにより、ジャケット面を正面にして観やすく収納できるラックが可能になる。また前記平板上に水平に収納できる収納部４を設けることにより、より多くのＣＤジャケットおよびＤＶＤジャケット１をコンパクトに収納できる。【選択図】  図４
2004313227.tif 000002
【特許請求の範囲】
【請求項１】
木材からなる平板上にＣＤジャケットおよびＤＶＤジャケットのジャケット面を表示できるディスプレー部と前記ＣＤジャケットおよびＤＶＤジャケットを収納できる収納部を設けたことを特徴とするディスプレーラック。
【請求項２】
木材からなる平板上にＣＤジャケットおよびＤＶＤジャケットのジャケット面を表示できるディスプレー部において、前記ＣＤジャケットおよびＤＶＤジャケットを表示するために前記木材の平板の一部に複数個の開口部を設け、この開口部にＣＤジャケットおよびＤＶＤジャケットを装着できる手段を備えたことを特徴とするディスプレーラック。
【請求項３】
木材からなる平板上にＣＤジャケットおよびＤＶＤジャケットのジャケット面を表示できるディスプレー部において、前記ＣＤジャケットおよびＤＶＤジャケットのジャケット面を表示するために、前記平板とは別にＣＤジャケットおよびＤＶＤジャケットを装着するための保持溝を備えた部品で構成したことを特徴とするディスプレーラック。
【発明の詳細な説明】
【０００１】
【発明の属する技術分野】
本発明は、コンパクトディスク（ＣＤ）ジャケットやデジタルビデオディスク（ＤＶＤ）ジャケットを表示陳列するディスプレーラックに関する。
本発明で述べるＣＤジャケットおよびＤＶＤジャケットとは、少なくとも、ＣＤ本体（またはＤＶＤ本体）、このＣＤ本体（またはＤＶＤ本体）を収納するプラスチックから成るケースとトレイ、紙などで作られデザインが印刷されているジャケットから構成されたものを言う。例えばＣＤジャケットの寸法は幅１４２ｍｍ×高さ１２５ｍｍ×奥行１０．５ｍｍであり、ＤＶＤジャケット（またはトールケース）の寸法はＣＤジャケットの寸法と同じものでもよいし、これ以外の寸法でもよい。
【０００２】
【従来の技術】
ＣＤジャケットやＤＶＤジャケットを収納するラックは既に商品化されているが、これら既存のラックは多数枚収納することが目的となっているため、箱形、本棚形、スリット形などの形をしており、ＣＤやＤＶＤはいずれもタイトルなどが書かれたジャケットの幅の小さい背表紙が見える方法で収納されている。
【０００３】
【発明が解決しようとする課題】
従来のＣＤジャケットやＤＶＤジャケット用のラックは、多数枚収納するという目的は達成しているが、
ほとんどがジャケットの背表紙が見えるだけでＣＤジャケットやＤＶＤジャケットが持つ本来のデザインが施されたジャケット面（表面）を見ることができないという欠点があった。また一部にはジャケット面が見えるものがあるが、これらはジャケット面が平面的に陳列されており、そのためラック自体が大きくなり室内で場所を取るなどの欠点があった。
【０００４】本発明は、このような収納だけを目的としたものではなく、ＣＤジャケットやＤＶＤジャケットが本来備えているデザイン化された美しいジャケット面をより小型で、より多く表示でき、鑑賞できるディスプレーラックを提供することである。
【０００５】
【課題を解決するための手段】
上記目的を達成するために、請求項１に記載の本発明は、垂直に自立させた木製の平板（傾斜させた平板でも可）にＣＤジャケットおよびＤＶＤジャケットのジャケット面を正面にして装着できるディスプレー部３を設ける。前記ディスプレー部３にＣＤジャケットおよびＤＶＤジャケットを装着できる開口部１５を前記平板上に複数設けることにより、ジャケット面を正面にして観やすく収納できるラックが可能になる。また前記平板上に水平に収納できる収納部４を設けることにより、より多くのＣＤジャケットおよびＤＶＤジャケット１をコンパクトに収納できることを特徴とする。（例えば図１、図４に示すディスプレーラック２およびディスプレーラック１２）
【０００６】請求項２に記載のディスプレーラックは、フレーム１３のディスプレー部３に複数個の開口部１５を設け、ＣＤジャケットおよびＤＶＤジャケットを上方向１６から装着し、フレーム１３の板厚と奥側に設けたストッパー１４で保持することを特徴とする。（例えば図４、図８に示すディスプレーラック１２およびディスプレーラック１９）
【０００７】請求項３に記載するディスプレーラックは、別部品である複数個のホルダー６をフレーム５上にネジなどで締結して構成したものである。このホルダー６には、ＣＤジャケットおよびＤＶＤジャケットを装着するための保持溝９が設けられている。また、この保持溝９の幅寸法１０はＣＤジャケットやＤＶＤジャケットの幅寸法より少し大きめに設けてあるために、ＣＤジャケットやＤＶＤジャケットを傾けて装着でき、ジャケット面が観やすくなるようにしてある。（例えば図１、図７に示すディスプレーラック２およびディスプレーラック１８）
【０００８】
【発明の実施の形態】
【実施例】
以下、本発明のディスプレーラックの一実施例を、図面を参照して説明する。
【０００９】図１及至図３に本発明の一実施例の構成を示す。図２においてＣＤジャケットおよびＤＶＤジャケットを装着するホルダー６には、長方形の保持溝９が設けられている。ホルダー６は保持溝９をフレーム５に平行にして取り付けられる。また、保持溝９の幅寸法１０はＣＤジャケットやＤＶＤジャケットの幅寸法より大きくしてあるため、装着が容易になるとともに図３の側面図のように前方に傾斜するためジャケット面が観やすくなる。このホルダー６は、図２および図３に示すように複数個がフレーム５にネジ（図示しない）で締結されている。
【００１０】また図２において、フレーム５の下方には収納部４が設けられている。フレーム５にはＣＤジャケットまたはＤＶＤジャケットの幅寸法より若干大きめの寸法でスリット１１が貫通して設けられている。フレーム５上にスリット１１が複数個設けられている。またフレーム５の裏側には前記スリット１１に対応した溝を設けたストッパー７が固着されている。
【００１１】図３に示すように、ディスプレー部３のＣＤジャケットまたはＤＶＤジャケットは上方向１６からホルダー６の保持溝９に装着する。また下方の収納部４でのＣＤジャケットまたはＤＶＤジャケットは、水平方向１７からスリット１１を通ってストッパー７に当たるまで挿入すると保持される。
【００１２】図４及至図６に本発明の一実施例の構成を示す。図５において、フレーム１３にはＣＤジャケットおよびＤＶＤジャケットを装着する開口部１５が設けられている。開口部１５は、フレーム１３の一部をＣＤジャケットまたはＤＶＤジャケットを装着できるような幅寸法２０で刳り貫かれている。そして、この開口部１５の裏側にはストッパー１４が設けられている。
【００１３】また図５において、フレーム１３の下方には収納部４が設けられている。フレーム１３にはＣＤジャケットまたはＤＶＤジャケットの幅寸法より若干大きめの寸法でスリット１１が貫通して設けられている。フレーム１３上にスリット１１は複数個設けられている。またフレーム１３の裏側には前記スリット１１に対応した溝を設けたストッパー１４が固着されている。
【００１４】図６に示すように、ディスプレー部３のＣＤジャケットまたはＤＶＤジャケットは上方向１６から開口部１５を通って、ストッパー１４に当たるところまで装着するとフレーム１３の板厚との間で保持される。また下方の収納部４でのＣＤジャケットまたはＤＶＤジャケットは水平方向１７からスリット１１を通ってストッパー１４に当たるまで挿入すると保持される。
【００１５】本発明の応用例を、図面を参照して説明する。
図７は図１のディスプレー部３だけで構成した応用例である。即ち請求項３の実施例である。また図８は図４のディスプレー部３だけで構成した応用例である。即ち請求項２の実施例である。このように本発明は請求項２、３だけで構成することもできるし、また請求項１との組み合わせでも可能となる。
【００１６】
【発明の効果】
以上説明したように、本発明では１枚のフレームにディスプレー部を設けることにより、コンパクトに多数のＣＤやＤＶＤのジャケット面を鑑賞でき、室内のインテリアデザインとしての癒し効果もある。またジャケット面が見えるために検索も容易となる。
【００１７】また、収納部を同じフレーム上に設けることにより、より多くのＣＤジャケットやＤＶＤジャケットをコンパクトに収納・表示することが可能となり室内空間を有効に活用できる。
【図面の簡単な説明】
【図１】本実施例によるディスプレーラックにＣＤジャケットおよびＤＶＤジャケットを装着した状態を示す斜視図である。
【図２】図１におけるディスプレーラックの構成を示す正面図と側面図である。
【図３】実施例図１にＣＤジャケットおよびＤＶＤジャケットを装着した状態を示す説明図である。
【図４】本実施例によるディスプレーラックにＣＤジャケットおよびＤＶＤジャケットを装着した状態を示す斜視図である。
【図５】図４におけるディスプレーラックの構成を示す正面図、側面図、裏面図である。
【図６】実施例図４にＣＤジャケットおよびＤＶＤジャケットを装着した状態を示す説明図である。
【図７】図１のディスプレーラックにおいて、収納部をなくしディスプレー部だけで構成した応用例である。
【図８】図４のディスプレーラックにおいて、収納部をなくしディスプレー部だけで構成した応用例である。
【符号の説明】
１    ＣＤジャケットおよびＤＶＤジャケット
２    ディスプレーラック
３    ディスプレー部
４    収納部
５    フレーム
６    ホルダー
７    ストッパー
８    スタンド
９    保持溝
１０    保持溝の幅寸法
１１    スリット
１２    ディスプレーラック
１３    フレーム
１４    ストッパー
１５    開口部
１６    上方向
１７    水平方向
１８    図１応用例のディスプレーラック
１９    図４応用例のディスプレーラック
２０    開口部幅寸法
【図１】
2004313227.tif 000003
【図２】
2004313227.tif 000004
【図３】
2004313227.tif 000005
【図４】
2004313227.tif 000006
【図５】
2004313227.tif 000007
【図６】
2004313227.tif 000008
【図７】
2004313227.tif 000009
【図８】
2004313227.tif 000010